(57)【特許請求の範囲】
【請求項１】
蓋対向面を有するベースと、
前記ベースに枢支され、前記蓋対向面に対向する所定の閉位置と、前記蓋対向面との距離が前記閉位置に比べて大きい所定の開位置と、の間を回動する蓋体と、
前記閉位置にある前記蓋体を解除可能にロックし得るロック要素と、を有し、
前記ロック要素は、
前記蓋体に一体化されている第１係合体と、
前記ベースに一体化され、前記蓋対向面から突出して前記第１係合体に係合し得るロック位置と、前記ロック位置から前記ベース側に引っ込む解除位置と、の間を位置変化可能な第２係合体と、
前記蓋体と前記第２係合体とに接続されているリンク要素と、を有し、
前記リンク要素は、
前記第２係合体を前記解除位置に配置する解除リンク状態と、前記第２係合体を前記ロック位置に配置するロックリンク状態と、の間を状態変化可能であり、
前記蓋体の前記開位置から前記閉位置への位置変化に伴って前記解除リンク状態から前記ロックリンク状態に状態変化し、
前記蓋体の前記閉位置から前記開位置への位置変化に伴って前記ロックリンク状態から前記解除リンク状態に状態変化する、蓋付装置。
【請求項２】
前記蓋体は、前記閉位置において前記蓋対向面に対面するベース対向面と、前記ベース対向面に開口する係合開口と、を有し、
前記第１係合体は、前記蓋体に内蔵され、少なくとも一部が前記係合開口に露出する係合位置と、前記係合位置にあるときよりも前記係合開口への露出量が小さい非係合位置と、の間を位置変化可能であり、
前記ロック位置において、前記蓋対向面から突出した前記第２係合体は、前記係合開口の内部に入り込んで前記第１係合体に係合する、請求項１に記載の蓋付装置。
【請求項３】
前記ベースは、前記第２係合体が出入する出入開口を有し、
前記解除位置において、前記出入開口に引っ込んだ前記第２係合体の表面と、前記蓋対向面と、は面一である、請求項１または請求項２に記載の蓋付装置。
【発明の詳細な説明】
【技術分野】
【０００１】
本発明はベースと蓋体とを有する蓋付装置に関する。
【背景技術】
【０００２】
ベースと、当該ベースに対して回動可能な蓋体と、を有する蓋付装置として、従来から種々のものが知られている。
【０００３】
この種の蓋付装置の１種として、車両に搭載されるコンソールボックスが例示される（例えば、特許文献１参照）。特許文献１に紹介されているコンソールボックスは、開口を有するケース状のベースと、当該ベースの開口を開閉する回動式の蓋体と、を有する。より具体的には、蓋体はベースに保持されて、当該開口を覆う閉位置と、当該開口を開く開位置と、の間を回動する。
【０００４】
さらに、この種の蓋付装置は、蓋体を閉位置にロックするためのロック要素を有する。ロック要素は、爪状の第１係合体と、当該第１係合体と係合する第２係合体と、を有する。一般に、第１係合体と第２係合体との一方は蓋体の裏面に配置され、他方はベースの開口周縁部に配置される。そして、蓋体が閉位置に配置されると第１係合体と第２係合体とが係合して、蓋体がロック位置にロックされる。
【０００５】
例えば蓋体装置が特許文献１に紹介されているようなコンソールボックスであれば、蓋体は、ケースの開口を開閉するコンソールリッドであったり、当該コンソールリッドであるとともに閉位置において乗員用のアームレストを兼ねたりする。しかし何れの場合にも、蓋体が回動式であれば、開位置においては蓋体の裏面（蓋体のベース対向面と呼ぶ）が、コンソールボックスつまり蓋付装置の外側に露出する。また、ベースにおける開口周縁部もまた、蓋体が開位置にあるときには蓋付装置の外側に露出する。つまり、この種の蓋付装置においては、蓋体が開位置にあるときには第１係合体および第２係合体が乗員に視認される。そしてこのために蓋付装置の意匠性が損なわれる場合がある。さらには、第１係合体および／または第２係合体の露出量が過大であれば、当該第１係合体および／または第２係合体が乗員に障る可能性もある。
【先行技術文献】
【特許文献】
【０００６】
【特許文献１】特開２０１０−１７３４４０号公報
【発明の概要】
【発明が解決しようとする課題】
【０００７】
本発明は上記事情に鑑みてなされたものであり、意匠性に優れた蓋付装置を提供することを目的とする。
【課題を解決するための手段】
【０００８】
上記課題を解決する本発明の蓋付装置は、
蓋対向面を有するベースと、
前記ベースに枢支され、前記蓋対向面に対向する所定の閉位置と、前記蓋対向面との距離が前記閉位置に比べて大きい所定の開位置と、の間を回動する蓋体と、
前記閉位置にある前記蓋体を解除可能にロックし得るロック要素と、を有し、
前記ロック要素は、
前記蓋体に一体化されている第１係合体と、
前記ベースに一体化され、前記蓋対向面から突出して前記第１係合体に係合し得るロック位置と、前記ロック位置から前記ベース側に引っ込む解除位置と、の間を位置変化可能な第２係合体と、
前記蓋体と前記第２係合体とに接続されているリンク要素と、を有し、
前記リンク要素は、
前記第２係合体を前記解除位置に配置する解除リンク状態と、前記第２係合体を前記ロック位置に配置するロックリンク状態と、の間を状態変化可能であり、
前記蓋体の前記開位置から前記閉位置への位置変化に伴って前記解除リンク状態から前記ロックリンク状態に状態変化し、
前記蓋体の前記閉位置から前記開位置への位置変化に伴って前記ロックリンク状態から前記解除リンク状態に状態変化する、蓋付装置である。
【発明の効果】
【０００９】
本発明の蓋付装置は、意匠性に優れる。
【図面の簡単な説明】
【００１０】
【図１】蓋体が開位置にある実施例の蓋付装置を模式的に表す斜視図である。
【図２】蓋体が閉位置にある実施例の蓋付装置を模式的に表す斜視図である。
【図３】実施例の蓋付装置における蓋体、第２係合体およびリンク要素の動作を模式的に表す説明図である。
【図４】実施例の蓋付装置における蓋体、第２係合体およびリンク要素の動作を模式的に表す説明図である。
【図５】実施例の蓋付装置における蓋体、第２係合体およびリンク要素の動作を模式的に表す説明図である。
【図６】実施例の蓋付装置における蓋体、第２係合体およびリンク要素の動作を模式的に表す説明図である。
【図７】実施例の蓋付装置における第１係合体の動作を模式的に表す説明図である。
【図８】実施例の蓋付装置における第１係合体の動作を模式的に表す説明図である。
【発明を実施するための形態】
【００１１】
以下、本発明の蓋付装置を具体的に説明する。
なお、上記の課題を解決するための手段の欄に記載した本発明の蓋付装置における「リンク要素」については、以下のように言い換える事ができる。
前記リンク要素は、
前記蓋体の前記開位置から前記閉位置への位置変化に伴って、前記第２係合体を前記解除位置から前記ロック位置へ位置変化させ、
前記蓋体の前記閉位置から前記開位置への位置変化に伴って、前記第２係合体を前記ロック位置から前記解除位置に位置変化させる。
【００１２】
（実施例）
実施例の蓋付装置は、本発明の蓋付装置を車両に搭載するコンソールボックスの一部として具現化した例である。
【００１３】
実施例の蓋付装置を模式的に表す斜視図を図１および図２に示す。なお、図１は蓋体が開位置にあるときの蓋付装置を表し、図２は蓋体が閉位置にあるときの蓋付装置を表す。
また、実施例の蓋付装置における蓋体、第２係合体およびリンク要素の動作を模式的に表す説明図を図３〜図６に示す。このうち図３は蓋体が閉位置にあるときの蓋付装置を表し、図４および図５は蓋体が閉位置と開位置との間にあるときの蓋付装置を表し、図６は蓋体が開位置にあるときの蓋付装置を表す。
さらに、実施例の蓋付装置における第１係合体の動作を模式的に表す説明図を図７および図８に示す。このうち図７は第１係合体が係合位置にある様子を表し、図８は第１係合体が非係合位置にある様子を表す。
以下、上、下、左、右、前、後とは、図１に示す上、下、左、右、前、後を指す。上下方向は鉛直方向に一致し、左右方向は車幅方向に一致する。前後方向は車両進行方向における前後方向に一致する。以下、必要に応じて、「車両進行方向の先側」を単に前と呼び、「車室内側」、つまり、「車両進行方向の後側」を、単に後と呼ぶ場合がある。
【００１４】
図１および図２に示すように、実施例の蓋付装置は、ベース１と、蓋体３と、ロック要素５とを有する。ベース１は、コンソールボックスのケース１００に取付けられ、後述するベース１の蓋対向面１ｆはケース１００の上面に露出する。ケース１００の開口つまりコンソールボックスの開口１０１はベース１の下側に露出し、この開口１０１は蓋体３によって開閉される。なお、実施例の蓋付装置におけるベース１は、コンソールボックスのケース１００に取付けられる一部材であるが、ベース１がコンソールボックスのケース１００自体を構成しても良い。つまり、本発明の蓋付装置は何らかの装置の一部を構成しても良いし、装置全体を構成しても良い。
【００１５】
ベース１は、断面略Ｌ字の柱状をなす２つの柱状基部１０で構成されている。図１に示すように、各柱状基部１０は、前後方向に離間しかつ長手方向を左右に向けている。各柱状基部１０は、上側つまり蓋体３側に位置する頂部１１と、頂部１１に連続するとともに頂部11の端縁から下方に屈曲する側部１２と、を有する。
各頂部１１は、蓋体３を支持するベース側支持部１９を一体に有する。ベース側支持部１９はベース１の頂部１１からさらに上方に向けて突出する。ベース側支持部１９は、図３に示すように、蓋体３の回動軸３９を枢支する。頂部１１は、さらに、貫通孔状の出入開口１８を有する。出入開口１８は、各頂部１１における右端部に各々設けられている。
【００１６】
各柱状基部１０における側部１２は、各々、ケース１００に埋設される。したがって、実施例１の蓋付装置を有するコンソールボックスにおいては、ベース１の側部１２はケース１００の内部に隠れ、ベース１の頂部１１およびベース側支持部１９がケース１００の上側に露出するだけである。各頂部１１の上面、つまり、ベース１のなかで蓋体３に面する面を蓋対向面１ｆと呼ぶ。
【００１７】
蓋体３は、中空の板状をなす蓋本体３０と、蓋本体３０に一体化されている蓋側支持部３２と、を有する。図３に示すように、蓋側支持部３２の回動軸３９はベース側支持部１９に枢支される。したがって蓋体３はベース１に対して回動可能である。具体的には、蓋体３は、回動軸３９を中心として回動し、蓋対向面１ｆに対向する閉位置（図２）と、蓋対向面１１ｆとの距離が閉位置に比べて大きい開位置（図１）との間を位置変化する。
【００１８】
なお、実施例においては、図２に示す閉位置においては、蓋本体３０がベース１に対向しかつベース１に当接する。また、図１に示す開位置においては、蓋体３に設けられているリンク入力部６０がベース１に設けられているベース側支持部１９に当接して、蓋本体３０がベース１に対して約９０度開く。このように、実施例の蓋付装置においては、図２に示す所定の位置が蓋体３の閉位置であり、図１に示す所定の位置が蓋体３の開位置である。蓋付装置は当該所定の閉位置と開位置との間を回動する。なお、本発明の蓋付装置における開位置および閉位置はこれに限定されず、各種の位置をとり得る。
【００１９】
実施例の蓋付装置における蓋体３は、図２に示す閉位置においてケース１００の開口１０１を閉じ、図１に示す開位置においてケース１００の開口１０１を開く。図３に示すように、回動軸３９には開付勢部材３８が装着されており、当該開付勢部材３８によって蓋体３は開位置に向けて付勢されている。実施例の蓋付部材における開付勢部材３８はねじりバネである。
【００２０】
ロック要素５は、２つの第１係合体５０と、２つの第２係合体５５と、２つのリンク要素６とを有する。後述するように、各第１係合体５０は蓋体３に一体化され、係合位置と非係合位置との間を同期して位置変化する。
【００２１】
各第２係合体５５は、上下方向にスライドして頂部１１の出入開口１８を出入可能であるように、側部１２に取付けられている。具体的には、各第２係合体５５は略板状をなす。各第２係合体５５は上下に延びる長孔状の係合ガイド孔５６を有し、当該係合ガイド孔５６には側部１２に突設された２つの係合ガイドピン１３が挿通されている。したがって各第２係合体５５は、係合ガイド孔５６に沿って上下方向にスライド可能である。各係合ガイドピン１３は、それぞれ、頂部１１に設けられた出入開口１８の下方に配置されている。したがって、各第２係合体５５が上動すると、各第２係合体５５の上端部は、各々対応する出入開口１８を経て、頂部１１の上方つまり蓋対向面１ｆよりも上側に突出する。このときの第２係合体５５の位置をロック位置と呼ぶ。蓋体が閉位置にあるときに、第２係合体５５はロック位置にある。
【００２２】
図３に示すように、各第２係合体５５の上側部分には、貫通孔状の係合凹部５７が設けられている。各第２係合体５５がロック位置に配置されると、係合凹部５７もまた蓋対向面１ｆよりも上側に露出する。なお、実施例の蓋付装置においては、第２係合体５５がロック位置にあるときに、第２係合体５５の上側部分つまり係合凹部５７を有する部分のみが蓋対向面１ｆよりも上側に突出し、他の大部分は出入開口１８内において蓋対向面１ｆよりも下側に隠れる。
【００２３】
蓋体３が図３に示す閉位置から図６に示す開位置に向けて回動すると、上述したロック位置にある各第２係合体５５が下動する。すると、図６に示すように、各第２係合体５５の全体が頂部１１の蓋対向面１ｆよりも下側に配置される。このときの第２係合体５５の位置を解除位置と呼ぶ。第２係合体５５が解除位置にあると、当然乍ら、第２係合体５５の係合凹部５７もまた蓋対向面１ｆよりも下側にある。つまり、このとき第２係合体５５はベース１における蓋対向面１ｆよりも内側にある。したがって、第２係合体５５は、このときベース１側に引っ込み、蓋付装置の内側に隠される。
【００２４】
図１に示すように、実施例の蓋付装置においては、解除位置にある第２係合体５５は、ベース１の下側に露出するものの、当該ベースの下側においてベース１と他部材とで区画形成された図略の収容スペースに入り込む。なお、例えば、ベース１に第２係合体５５用の収容スペースを設けて、解除位置における第２係合体５５を当該収容スペースに収容しても良い。或いは、ベース１以外の他部材によって当該収容スペースを形成しても良い。何れの場合にも、このとき第２係合体５５はベース１における蓋対向面１ｆよりも内側にあるため、ベース１の蓋対向面１ｆ側つまりユーザー側からは視認され難い。
【００２５】
ロック要素５は、その他、２つのリンク要素６を有する。２つのリンク要素６は同じものである。各々のリンク要素６は、リンク入力部６０と、リンクベース７と、リンク付勢部材６９と、を有する。
リンク入力部６０は突起状をなし、蓋体３における回動軸３９の径方向外側部分、実施例においては蓋本体３０における左側かつ下側部分に一体化されている。
リンクベース７は板状をなし、ベース１における柱状基部１０の側部１２に取付けられている。図３に示すように、各柱状基部１０には、ピン状をなす２つののリンクガイドピン１４ａ、リンクガイドピン１４ｂが突設されている。リンクベース７には左右に延びる２つのリンクガイド孔７０ａ、リンクガイド孔７０ｂが設けられ、リンクガイド孔７０ａにはリンクガイドピン１４ａが挿通され、リンクガイド孔７０ｂにはリンクガイドピン１４ｂが挿通されている。したがって、リンクベース７は、リンクガイド孔７０ａ、７０ｂの延びる方向つまり左右方向に位置変化可能である。リンクベース７には、つる巻きバネ状のリンク付勢部材６９の一端が取付けられている。リンク付勢部材６９の他端はベース１の側部１２に固定されている。このリンク付勢部材６９によって、リンクベース７は右に付勢されている。
【００２６】
リンクベース７の上部にはリンク入力受け部７１が設けられている。リンク入力受け部７１は、左右に延び、リンクベース７の上面に開口する。図３に示すように、蓋体３が閉位置にあるときには、リンク入力受け部７１には、リンク入力部６０が入り込んでいる。また、図５に示すように、蓋体３が閉位置から開位置に回動する途中の段階で、リンク入力部６０はリンク入力受け部７１から抜ける。図６に示すように、蓋体３が開位置にまで回動すると、リンク入力部６０は完全にリンク入力受け部７１の外側に配置される。以下、図５に示す蓋体３の位置、つまり、リンク入力部６０がリンク入力受け部７１から抜けた時点における蓋体３の位置を、中間位置と呼ぶ。
【００２７】
蓋体３が図５に示す中間位置と図３に示す閉位置との間にあるときには、リンク入力部６０がリンク入力受け部７１に入り込み、リンク入力部６０の左面６０ｆはリンク入力受け部７１の左壁面７１ｆに対面している。リンク入力部６０は、蓋体３に一体化されているため、蓋体３の回動に伴って位置変化する。具体的には、蓋体３が図５に示す中間位置から図３に示す閉位置に向けて位置変化すると、リンク入力部６０は図５中時計回りに回動する。リンク入力部６０が図５中時計回りに回動すると、リンク入力部６０の左面６０ｆがリンク入力受け部７１の左壁面７１ｆを左方に押圧する。上述したように、リンク付勢部材６９はリンクベース７を右方に付勢しているが、リンク入力部６０がリンク入力受け部７１を左方に押圧することで、リンク入力受け部７１を有するリンクベース７は、リンク付勢部材６９の付勢力に抗して左方に位置変化し得る。
【００２８】
図５に示すように、リンクベース７の右側部分、つまり、リンクベース７における第２係合体５５側の部分には、長孔状のリンク孔７３が設けられている。リンク孔７３には、第２係合体５５に突設されているリンク伝達受け部５８が挿通されている。リンク孔７３は、左方かつ下方から右方かつ上方に向けて延びる傾斜部７３ｓを有する。傾斜部７３ｓの延びる方向は、係合ガイド孔５６の延びる方向つまり第２係合体５５の位置変化方向と交差する方向である。このため、第２係合体５５が位置変化する際に、傾斜部７３ｓは第２係合体５５に干渉する。換言すると、第２係合体５５のリンク伝達受け部５８と傾斜部７３ｓとが干渉することで、第２係合体５５が位置変化する。リンク要素６は、以上のように、リンク入力部６０と、リンクベース７と、リンク付勢部材６９と、を有し、蓋体３と第２係合体５５とに接続されている。
【００２９】
以下、実施例の蓋付装置の動作を説明する。
【００３０】
上述したように、蓋体３は、開付勢部材３８によって開方向に向けて付勢されている。したがって、ロック要素５によるロックが解除されていれば、蓋体３は、開付勢部材３８によって付勢され、図３〜図６中反時計回りに回動して、図６に示す開位置にある。このとき、蓋体３はケース１００の開口１０１を開き、リンク入力部６０はリンク入力受け部７１から外れ、リンクベース７はリンク付勢部材６９の付勢力によって右側にある。そして、このときリンク伝達受け部５８はリンク孔７３における傾斜部７３ｓの左端部かつ下端部にあり、第２係合体５５はベース１の蓋対向面１ｆよりも内側つまり蓋対向面１ｆの下方にある。つまりこのとき第２係合体５５は解除位置にある。また、このとき第２係合体５５が解除位置にあるため、リンク要素６は解除リンク状態にあるといえる。
【００３１】
開位置にある蓋体３に対して、開付勢部材３８の付勢力を超える下方への押圧力を加えることで、蓋体３を図６に示す開位置から図３に示す閉位置に回動させ得る。このとき蓋体３は、開付勢部材３８の付勢力に抗して、回動軸３９を中心として時計回りに回動する。蓋体３が図５に示す中間位置を超えて回動すると、図４に示すように、蓋体３に一体化されているリンク入力部６０が、リンクベース７に設けられているリンク入力受け部７１に入り込む。すると、リンク入力部６０の左面６０ｆがリンク入力受け部７１の左壁面７１ｆを左方に押圧する。このため、リンクベース７は左方に位置変化する。
【００３２】
リンクベース７が左方に位置変化すると、リンクベース７のリンク孔７３もまた左方に位置変化する。このため、リンク孔７３に挿通されているリンク伝達受け部５８は、リンク孔７３に対して相対的に左方に位置変化する。図６に示す開位置から図５に示す中間位置に至るまで、リンク伝達受け部５８はリンク孔７３における傾斜部７３ｓの左端部かつ下端部にある。そしてリンクベース７およびリンク孔７３が左方に移動すると、リンク伝達受け部５８はリンク孔７３の傾斜部７３ｓ内を右方に向けて相対的に移動する。さらに、傾斜部７３ｓは左側かつ下側から右側かつ上側に向けて傾斜しているため、このときリンク伝達受け部５８は右方に向けて相対的に移動するだけではなく上方に向けても相対的に移動する。つまり、このときリンク伝達受け部５８は第２係合体５５とともに上方に位置変化する。したがって、このとき第２係合体５５は出入開口１８を経てベース１の蓋対向面１ｆの上方に突出し、第２係合体５５の係合凹部５７もまたベース１における蓋対向面１ｆの上方に露出する。つまり、蓋体３が開位置から閉位置にまで回動すると、それに伴って、第２係合体５５が図５に示す解除位置から図３に示すロック位置にまで位置変化する。そして、このようにリンク要素６が図６に示す解除リンク状態から図３に示すロックリンク状態に状態変化することで、第２係合体５５が図６に示す解除位置から図３に示すロック位置にまで位置変化する。
【００３３】
図２および図３に示すロック位置において、第２係合体５５の係合凹部５７には第１係合体５０が係合する。
具体的には、実施例の蓋付装置においては、２つの第１係合体５０は、ともに、蓋本体３０の中空内部に配置されている。換言すると、２つの第１係合体５０は、蓋体３におけるベース対向面３ｆの背面側に配置されている。ベース対向面３ｆとは、図３に示す閉位置においてベース１の蓋対向面１ｆに対面する蓋体３の面であり、蓋体３の裏面ともいえる。
【００３４】
図７に示すように、一方の第１係合体５０ａは蓋本体３０の後側部分に配置され、他方の第１係合体５０ｂは蓋本体３０の前側部分に配置されている。第１係合体５０ａは、蓋本体３０に突設されている２対のガイド突起３７ａによって、前後方向にスライド可能であるように支持されている。第１係合体５０ｂもまた、蓋本体３０に突設されている２対のガイド突起３７ｂによって、前後方向にスライド可能であるように支持されている。
【００３５】
第１係合体５０ａの前端部にはラック部８０ａが設けられ、第１係合体５０ｂの後端部にはラック部８０ｂが設けられている。ラック部８０ａおよびラック部８０ｂにはピニオン８１が噛合する。ピニオン８１は蓋本体３０の中空内部に配置され、蓋本体３０に軸支されている。
【００３６】
蓋本体３０の下面つまりベース対向面３ｆには、蓋本体３０の内外を連通する２つの係合開口３３ａ、係合開口３３ｂが設けられている。係合開口３３ａは蓋本体３０のベース対向面３ｆにおける後側部分に開口し、係合開口３３ｂはベース対向面３ｆにおける前側部分に開口している。第１係合体５０ａおよび第１係合体５０ｂは、ピニオン８１によって同期して、図７に示す係合位置と図８に示す非係合位置と、の間を前後方向にスライドする。
図７に示す係合位置においては、第１係合体５０ａの後端部が係合開口３３ａに露出するとともに第１係合体５０ｂの前端部が係合開口３３ｂに露出する。図８に示す非係合位置においては、第１係合体５０ａの後端部が係合開口３３ａよりも前側に配置されて第１係合体５０ａの全体が蓋本体３０の内部に隠れるとともに、第１係合体５０ｂの前端部が係合開口３３ｂよりも後側に配置されて第１係合体５０ｂの全体が蓋本体３０の内部に隠れる。
【００３７】
第１係合体５０ｂにはつる巻きバネ状のロック付勢部８２の一端が取付けられている。ロック付勢部８２の他端は蓋本体３０に固定され、ロック付勢部８２によって第１係合体５０ｂは前方向つまり第１係合体５０ｂが係合開口３３ｂに露出する方向に付勢されている。また、第１係合体５０ｂと同期する第１係合体５０ａもまた、間接的に、ロック付勢部８２によって係合開口３３ａに露出する方向に付勢されている。つまり、ロック付勢部８２は第１係合体５０ａおよび第１係合体５０ｂを図７に示す係合位置に向けて付勢している。
【００３８】
第１係合体５０ａには操作部８３が接続されている。操作部８３は、第１係合体５０ａ、第１係合体５０ｂ、およびピニオン８１とともに、蓋本体３０の中空内部に配置されている。操作部８３は、略柱状をなし、孔状の操作伝達部８４を有する。第１係合体５０ａにはピン状の操作伝達受け部５１が設けられ、当該操作伝達受け部５１は操作部８３の操作伝達部８４に挿通されている。蓋本体３０の後面には、内外を連通する操作開口３４が設けられ、操作部８３の後端部である操作端８５は、当該操作開口３４を経て蓋本体３０の後側外部に露出し得る。操作部８３には長孔状の２つの操作部ガイド孔８６が設けられ、当該操作部ガイド孔８６には、蓋本体３０の中空内部に突設されたガイドピン８５がそれぞれ挿通されている。操作部８３は、操作部ガイド孔８６に沿って前後方向にスライド可能である。また、操作部８３にはつる巻きバネ状の操作付勢部８７の一端が取付けられている。操作付勢部８７の他端は蓋本体３０に固定され、操作付勢部８７によって操作部８３は後方向、つまり、操作端８５が操作開口３４から露出する方向に付勢されている。
【００３９】
図３に示すように蓋体３が閉位置にあり、第２係合体５５がロック位置にあるときには、蓋対向面１ｆから突出した２つの第２係合体５５は、各々対応する係合開口３３ａ、係合開口３３ｂの内部に入り込む。上記したように第１係合体５０ａおよび第１係合体５５ｂはロック付勢部８２によって係合位置に付勢されているため、このとき第１係合体５０ａおよび第１係合体５０ｂもまた、各々係合開口３３ａおよび係合開口３３ｂの内部に入り込む。このため、係合位置に配置された第１係合体５０は、ロック位置に配置された第２係合体５５と係合する。したがって、蓋体３は閉位置にロックされる。
【００４０】
蓋体３を図３に示す閉位置から図６に示す開位置に向けて回動させる際には、第１係合体５０と第２係合体５５の係合を解除する必要がある。当該係合を解除するためには、先ず、ユーザーは、操作部８３の操作端８５を前方に向けて押圧操作する。すると、操作付勢部８７の付勢力に抗して操作部８３が前方に位置変化し、操作部８３に設けられている操作伝達部８４の孔壁が第１係合体５０ａの操作伝達受け部５１を前方に押圧する。このため、第１係合体５０ａが前方に位置変化する。すると、第１係合体５０ａのラック部８０ａが前方に位置変化し、当該ラック部８０ａと噛合するピニオン８１が時計回りに回転する。すると、当該ピニオン８１と噛合するラック部８０ｂを有する第１係合体５０ｂは、ピニオン８１の回転に伴って後方に位置変化する。したがって、第１係合体５０ａおよび第１係合体５０ｂは、図７に示す係合位置から図８に示す非係合位置に向けて位置変化する。
【００４１】
第１係合体５０ａおよび第１係合体５０ｂが図８に示す非係合位置にまで位置変化すると、第１係合体５０が第２係合体５５の係合凹部５７から抜けるために、第１係合体５０と第２係合体５５との係合が解除される。つまり、このとき蓋体３のロックが解除される。蓋体３のロックが解除されると、蓋体３は開付勢部材３８の付勢力によって開位置に回動する。このときリンクベース７はリンク付勢部材６９の付勢力によって後方に位置変化し、リンク伝達受け部５８はリンク孔７３における傾斜部７３ｓの左端かつ上端から右端かつ下端に向けて相対移動する。したがって、第２係合体５５はロック位置から解除位置に位置変化して、ケース１００における蓋対向面１ｆの内側に隠される。したがって、蓋体３が開位置に配置されると、第２係合体５５はユーザーから視認され難くなり、第１係合体５０もまたユーザーから視認され難くなる。つまり、実施例の蓋付装置は、蓋体３が開位置にあるときにも、第１係合体５０および第２係合体５５がユーザーから視認され難く、意匠性に優れる。
【００４２】
また、蓋体３が開位置にあるときには第１係合体５０および第２係合体５５が突出していないため、ユーザーが第１係合体５０および第２係合体５５に着衣等を引っ掛けるおそれはない。
【００４３】
なお、実施例の蓋付装置において、蓋体３が開位置に配置され第２係合体５５が解除位置に配置されているときには、出入開口１８の内部に配置される第２係合体５５の表面５５ｆと、蓋対向面１ｆと、は面一である。したがって、蓋体３が開位置に配置されているときには、第２係合体５５は蓋対向面１ｆから突出せず、ユーザーは第２係合体５５の表面５５ｆおよびケース１００の蓋対向面１ｆを連続性を持った意匠として認識する。したがって、実施例の蓋付装置は意匠性に優れる。さらに、実施例の蓋付装置においては、蓋体３が中間位置と開位置との間にある時、つまり蓋体３が完全に開位置に配置される前の段階、および、蓋体３が開位置から閉位置に回動する初期の段階においても、第２係合体５５は解除位置に配置されている。つまりこのときにも、第２係合体５５の表面５５ｆおよびケース１００の蓋対向面１ｆは連続性を持った意匠として視認される。このことによって、実施例の蓋付装置の意匠性は更に向上する。
【００４４】
上記したように蓋体３が中間位置と開位置との間にある時に第２係合体５５を解除位置に配置するために、実施例の蓋付装置においては、リンク入力部６０が中間位置においてリンク入力受け部７１から外れるようにしている。こうすることで、中間位置と開位置との間においてはリンク要素による蓋体３と第２係合体５５との接続を解除し、第２係合体５５の位置変化を停止しつつ蓋体３のみを回動させ得る。
【００４５】
さらに、実施例の蓋付装置においては、蓋体３が図３に示す閉位置と図４に示す開初期位置との間を回動する間、第２係合体５５がロック位置にある。このことで、第１係合体５０と第２係合体５５の係合がたやすく解除されないようにでき、蓋体３の意図せぬ開動作を抑制し得る。
【００４６】
蓋体３が閉位置と開初期位置との間を回動する間、第２係合体５５をロック位置に配置するために、実施例の蓋付装置においては、リンク孔７３における傾斜部７３ｓの右側に、左右方向つまりリンクベース７のスライド方向に延びるストレート部７３ｓｔを設けている。リンク伝達受け部５８が傾斜部７３ｓの上端かつ右端に配置され第２係合体５５がロック位置に配置された後に、さらに蓋体３を時計回りに回動させリンクベース７を左方に位置変化させると、リンク伝達受け部５８はストレート部７３ｓｔに入り込む。ストレート部７３ｓｔはリンクベース７のスライド方向に延びるため、このときストレート部７３ｓｔはリンク伝達受け部５８に干渉せず、第２係合体５５はロック位置から位置変化しない。
【００４７】
実施例の蓋付装置においては、上記したように、第２係合体５５が解除位置に配置されているときに第２係合体５５の表面５５ｆと、蓋対向面１ｆと、が面一であったが、本発明の蓋付装置はこれに限定されない。例えば、解除位置において第２係合体５５が出入開口１８の下側に潜り込んでいても良い。この場合にも、解除位置において、第２係合体５５が蓋対向面１ｆよりも内側にあれば、第２係合体５５が突出しているようには見えず、蓋付装置の意匠性が向上する。なお、ここで言う「第２係合体５５がベース１の蓋対向面１ｆよりも内側にある」とは、第２係合体５５がベース１の蓋対向面１ｆよりも外側つまり蓋体３側にはみ出さない状態を指す。実施例の蓋付装置であれば、当該「蓋対向面１ｆよりも内側」は「蓋対向面１ｆよりも下側」と言い換え得る。
【００４８】
さらに、ケース１００に出入開口１８を設けず、第２係合体５５をケース１００の側面に配置しても良い。この場合には、第２係合体５５のさらに外側が他部材で覆われれば、少なくとも第２係合体５５がケース１００の内側にあるとき、つまり、第２係合体５５が解除位置にあるときには、第２係合体５５はユーザーに視認されず、蓋付装置の意匠性は損なわれない。
【００４９】
実施例の蓋付装置においては、第２係合体５５はロック位置と解除位置との間を直線的に位置変化するが、第２係合体５５はロック位置と解除位置との間を位置変化すれば良く、例えば揺動等しても良い。何れの場合にも、リンク要素６によりリンクされることで、蓋体３が開位置と閉位置との間を回動するのに従動して第２係合体５５が解除位置とロック位置との間を位置変化すれば良い。
【００５０】
なお、実施例の蓋付装置においては２つの第１係合体５０をラックアンドピニオン機構で同期させスライドさせたが、本発明の蓋付装置における第１係合体５０は、これに限定されない。例えば、本発明の蓋付装置は、係合位置と非係合位置との間を揺動する１つの第１係合体５０を有するとともに、当該１つの第１係合体５０に１つの第２係合体５５が係合しても良い。
【産業上の利用可能性】
【００５１】
本発明の蓋付装置は、実施例に挙げたコンソールボックスのように蓋体３とベース１とを有する各種の装置として具現化でき、車室内等の狭い空間に搭載される蓋付装置として特に好ましく使用できる。また、本発明の蓋付装置における蓋体は、必ずしも、開口を開閉する必要は無く、例えば、ナビゲーションシステムのモニタや操作パネル等に対して回動しこれらを開閉するものであっても良い。この場合、モニタや操作パネル等はベースの内部に配置されても良いし、或いは、モニタや操作パネルの一部がベースを構成しても良い。
また、２以上の蓋付装置で１つの装置を構成しても良い。例えば、観音開き状に開く２つの蓋体を有する２蓋付装置で１つのコンソールボックスを構成しても良い。この場合、２つの蓋体は同期して開閉しても良いし各々独立に開閉しても良い。
【００５２】
本発明は上記し且つ図面に示した実施形態のみに限定されるものではなく、要旨を逸脱しない範囲内で適宜変更して実施できる。
【００５３】
本発明の蓋付装置は、以下のように表現できる。
【００５４】
（１）蓋対向面１ｆを有するベース１と、
前記ベース１に枢支され、前記蓋対向面１ｆに対向する所定の閉位置と、前記蓋対向面１ｆとの距離が前記閉位置に比べて大きい所定の開位置と、の間を回動する蓋体３と、
前記閉位置にある前記蓋体３を解除可能にロックし得るロック要素５と、を有し、
前記ロック要素５は、
前記蓋体３に一体化されている第１係合体５０と、
前記ベース１に一体化され、前記蓋対向面１ｆから突出して前記第１係合体５０に係合し得るロック位置と、前記ロック位置から前記ベース１側に引っ込む解除位置と、の間を位置変化可能な第２係合体５５と、
前記蓋体３と前記第２係合体５５とに接続されているリンク要素６と、を有し、
前記リンク要素６は、
前記第２係合体５５を前記解除位置に配置する解除リンク状態と、前記第２係合体５５を前記ロック位置に配置するロックリンク状態と、の間を状態変化可能であり、
前記蓋体３の前記開位置から前記閉位置への位置変化に伴って前記解除リンク状態から前記ロックリンク状態に状態変化し、
前記蓋体３の前記閉位置から前記開位置への位置変化に伴って前記ロックリンク状態から前記解除リンク状態に状態変化する、蓋付装置。
（２）前記蓋体３は、前記閉位置において前記蓋対向面１ｆに対面するベース対向面３ｆと、前記ベース対向面３ｆに開口する係合開口３３と、を有し、
前記第１係合体５０は、前記蓋体３における前記蓋対向面１ｆの背面側に配置され、少なくとも一部が前記係合開口３３に露出する係合位置と、前記係合位置にあるときよりも前記係合開口３３への露出量が小さい非係合位置と、の間を位置変化可能であり、
前記ロック位置において、前記蓋対向面１ｆから突出した前記第２係合体５５は、前記係合開口３３の内部に入り込んで前記第１係合体５０に係合する、（１）に記載の蓋付装置。
（３）前記ベース１は、前記第２係合体５５が出入する出入開口１８を有し、
前記解除位置において、前記出入開口１８に引っ込んだ前記第２係合体５５の表面５５ｆと、前記蓋対向面１ｆと、は面一である、（１）または（２）に記載の蓋付装置。
【符号の説明】
【００５５】
１：ベース                            １ｆ：ベースの蓋対向面
３：蓋体                              ３ｆ：蓋体のベース対向面
５：ロック要素                        ６：リンク要素
１８：ベースの出入開口                ３３：係合開口
５０、５０ａ、５０ｂ：第１係合体      ５５：第２係合体
５５ｆ：第２係合体の表面
【図１】
0006372449.tif 000002
【図２】
0006372449.tif 000003
【図３】
0006372449.tif 000004
【図４】
0006372449.tif 000005
【図５】
0006372449.tif 000006
【図６】
0006372449.tif 000007
【図７】
0006372449.tif 000008
【図８】
0006372449.tif 000009